(57)【要約】【課題】添削の履歴に基づいて添削を支援する添削システム、情報処理装置及び添削プログラムを提供する。【解決手段】添削サーバ１は、問題情報１１１の問題に対して回答として入力された入力内容及び時間情報を少なくとも含む回答情報１１２を受信する回答受信手段１０１と、回答情報１１２から回答者の回答に関する活動を分析して回答活動情報１１３を生成する回答活動分析手段１０２と、回答情報１１２、回答活動情報１１３、問題情報１１１に対する回答の雛形である回答雛形情報１１４及び過去に添削として入力された添削履歴情報１１７に基づいて、回答受信手段１０１が受信した回答情報１１２に対する添削の例示である添削例情報１１５を作成する添削例作成手段１０３とを有する。【選択図】図１
2014048309.tif 000002
【特許請求の範囲】
【請求項１】
問題情報の問題に対して回答として入力された入力内容及び時間情報を少なくとも含む回答情報を受信する受信手段と、前記回答情報の前記時間情報から回答者の回答に関する活動を分析して活動情報を生成する分析手段と、前記回答情報及び前記問題情報に対する回答の雛形である回答雛形情報に基づいて、前記回答情報の入力内容の正誤の例示を作成し、前記活動情報及び過去に添削として入力された添削履歴情報に基づいて、前記問題情報に対する解説の例示を作成して、当該正誤の例示及び当該解説の例示から添削の例示である添削例情報を作成する作成手段とを有する情報処理装置と、
前記情報処理装置から前記添削例情報及び前記回答情報を受信する受信手段と、前記添削例情報及び前記回答情報を表示する表示手段と、操作部に対する操作に基づいて前記回答情報に対して添削内容を入力する入力手段と、前記入力手段によって入力された添削内容を添削結果情報として前記情報処理装置に送信する送信手段とを有する端末とを備える添削システム。
【請求項２】
前記情報処理装置は、前記端末において前記添削例情報に基づいて回答情報を添削した結果である添削結果情報の履歴から前記添削履歴情報を構成する請求項１に記載の添削システム。
【請求項３】
問題情報の問題に対して回答として入力された入力内容及び時間情報を少なくとも含む回答情報を受信する受信手段と、
前記回答情報の前記時間情報から回答者の回答に関する活動を分析して活動情報を生成する分析手段と、
前記回答情報及び前記問題情報に対する回答の雛形である回答雛形情報に基づいて、前記回答情報の入力内容の正誤の例示を作成し、前記活動情報及び過去に添削として入力された添削履歴情報に基づいて、前記問題情報に対する解説の例示を作成して、当該正誤の例示及び当該解説の例示から添削の例示である添削例情報を作成する作成手段とを有する情報処理装置。
【請求項４】
コンピュータを、
問題情報の問題に対して回答として入力された入力内容及び時間情報を少なくとも含む回答情報を受信する受信手段と、
前記回答情報の前記時間情報から回答者の回答に関する活動を分析して活動情報を生成する分析手段と、
前記回答情報及び前記問題情報に対する回答の雛形である回答雛形情報に基づいて、前記回答情報の入力内容の正誤の例示を作成し、前記活動情報及び過去に添削として入力された添削履歴情報に基づいて、前記問題情報に対する解説の例示を作成して、当該正誤の例示及び当該解説の例示から添削の例示である添削例情報を作成する作成手段として機能させるための添削プログラム。
【発明の詳細な説明】
【技術分野】
【０００１】
本発明は、添削システム、情報処理装置及び添削プログラムに関する。
【背景技術】
【０００２】
従来の技術として、問題に対する回答結果とともに筆記情報から回答者の体動情報を抽出して添削者に表示する添削システムが提案されている（例えば、特許文献１参照）。
【０００３】
特許文献１に開示された添削システムは、回答者の電子ペンによる筆記情報から回答者の体動に関する情報を抽出して解析する手段と、当該解析手段から得られる体動に関する情報、回答者の電子ペンによって入力された回答結果及び問題に対する正解情報を少なくとも表示する表示手段とを有し、添削者は表示手段によって表示された情報を参照しつつ、回答結果を添削する。
【先行技術文献】
【特許文献】
【０００４】
【特許文献１】特開２００９−３１６１４号公報
【発明の概要】
【発明が解決しようとする課題】
【０００５】
本発明の目的は、添削の履歴に基づいて添削を支援する添削システム、情報処理装置及び添削プログラムを提供することにある。
【課題を解決するための手段】
【０００６】
本発明の一態様は、上記目的を達成するため、以下の添削システム、情報処理装置及び添削プログラムを提供する。
【０００７】
［１］問題情報の問題に対して回答として入力された入力内容及び時間情報を少なくとも含む回答情報を受信する受信手段と、前記回答情報の前記時間情報から回答者の回答に関する活動を分析して活動情報を生成する分析手段と、前記回答情報及び前記問題情報に対する回答の雛形である回答雛形情報に基づいて、前記回答情報の入力内容の正誤の例示を作成し、前記活動情報及び過去に添削として入力された添削履歴情報に基づいて、前記問題情報に対する解説の例示を作成して、当該正誤の例示及び当該解説の例示から添削の例示である添削例情報を作成する作成手段とを有する情報処理装置と、
前記情報処理装置から前記添削例情報及び前記回答情報を受信する受信手段と、前記添削例情報及び前記回答情報を表示する表示手段と、操作部に対する操作に基づいて前記回答情報に対して添削内容を入力する入力手段と、前記入力手段によって入力された添削内容を添削結果情報として前記情報処理装置に送信する送信手段とを有する端末とを備える添削システム。
【０００８】
［２］前記情報処理装置は、前記端末において前記添削例情報に基づいて回答情報を添削した結果である添削結果情報の履歴から前記添削履歴情報を構成する前記［１］に記載の添削プログラム。
【０００９】
［３］問題情報の問題に対して回答として入力された入力内容及び時間情報を少なくとも含む回答情報を受信する受信手段と、
前記回答情報の前記時間情報から回答者の回答に関する活動を分析して活動情報を生成する分析手段と、
前記回答情報及び前記問題情報に対する回答の雛形である回答雛形情報に基づいて、前記回答情報の入力内容の正誤の例示を作成し、前記活動情報及び過去に添削として入力された添削履歴情報に基づいて、前記問題情報に対する解説の例示を作成して、当該正誤の例示及び当該解説の例示から添削の例示である添削例情報を作成する作成手段とを有する情報処理装置。
【００１０】
［４］コンピュータを、
問題情報の問題に対して回答として入力された入力内容及び時間情報を少なくとも含む回答情報を受信する受信手段と、
前記回答情報の前記時間情報から回答者の回答に関する活動を分析して活動情報を生成する分析手段と、
前記回答情報及び前記問題情報に対する回答の雛形である回答雛形情報に基づいて、前記回答情報の入力内容の正誤の例示を作成し、前記活動情報及び過去に添削として入力された添削履歴情報に基づいて、前記問題情報に対する解説の例示を作成して、当該正誤の例示及び当該解説の例示から添削の例示である添削例情報を作成する作成手段として機能させるための添削プログラム。
【発明の効果】
【００１１】
請求項１、３又は４に係る発明によれば、添削の履歴に基づいて添削を支援することができる。
【００１２】
請求項２に係る発明によれば、添削結果情報の履歴から添削履歴情報を構成することができる。
【図面の簡単な説明】
【００１３】
【図１】図１は、本発明の実施の形態に係る添削システムの構成の一例を示すブロック図である。
【図２】図２は、添削サーバの構成の一例を示すブロック図である。
【図３】図３は、端末の構成の一例を示すブロック図である。
【図４】図４は、端末の構成の一例を示すブロック図である。
【図５】図５は、問題表示画面の構成の一例を示す概略図である。
【図６】図６は、回答表示画面の構成の一例を示す概略図である。
【図７】図７は、回答表示画面の構成の他の例を示す概略図である。
【図８】図８は、回答表示画面の構成の他の例を示す概略図である。
【図９】図９は、回答表示画面の構成の他の例を示す概略図である。
【図１０】図１０は、添削システムの動作の一例を示すフローチャートである。
【図１１】図１１は、添削サーバが添削例情報を作成する際の動作の一例を示すフローチャートである。
【発明を実施するための形態】
【００１４】
［実施の形態］
（添削システムの構成）
図１は、本発明の実施の形態に係る添削システムの構成の一例を示すブロック図である。
【００１５】
本発明の実施の形態の一例として、添削システム０は、添削サーバ１、回答者７が所持する端末２、添削者８、９が所持する端末３、４等を有し、ネットワーク５で各装置を互いに通信可能に接続する。なお、回答者７は、スタイラスペン２４ａを用いて端末２に表示された問題の回答として文字を書いたり図形等を描いたりして回答する。ここで、「スタイラスペン」とは、ペン型の入力装置であって、先端を入力部２４（図３）のタッチパネルに接触させることで当該タッチパネル上の座標を指示して入力操作を行うためのものである。
【００１６】
また、添削者８、９は、スタイラスペン３４ａ、４４ａを用いて端末３、４に表示された回答者７の回答を添削する。なお、添削者８の一例として回答者７の家族等、添削者９の一例として回答者７の教師等を想定して以下説明する。
【００１７】
添削サーバ１は、情報を処理するための機能を備えたＣＰＵ（Ｃｅｎｔｒａｌ  Ｐｒｏｃｅｓｓｉｎｇ  Ｕｎｉｔ）や記憶部等の電子部品を備える情報処理装置であり、端末２に問題を表示するための問題情報を送信し、端末２から問題に対する回答である回答情報を受信して、当該回答情報に対する添削例である添削例情報を端末３、４に送信して、端末３、４から添削の結果として添削結果情報を受信し、添削結果情報を再び端末２へ送信する。
【００１８】
端末２は、図示しない無線通信網を介して添削サーバ１と通信するものであり、操作入力用のスタイラスペン２４ａ及びタッチパネル等の操作部と、タッチパネル下に設けられた液晶ディスプレイ等の表示部と、ＣＰＵや記憶部等の電子部品を有する制御部とを備える。端末２は、添削サーバ１から問題情報を受信すると問題を表示部に表示し、回答者７から当該問題の回答の入力を受け付けて、回答情報として添削サーバ１に送信する。その後、添削結果情報を受信すると、添削結果を表示部に表示する。なお、端末２は、例えば、パーソナルコンピュータであり、その他にＰＤＡ（Ｐｅｒｓｏｎａｌ  Ｄｉｇｉｔａｌ  Ａｓｓｉｓｔａｎｔ）、携帯電話機等を用いることもできる。また、端末２は、同図では１台を図示するが、複数台でもよい。
【００１９】
端末３、４は、端末２と同様の構成を有するものであり、添削サーバ１から添削例情報を受信すると添削例を表示部に表示し、添削者８、９から添削の入力を受け付け、添削結果情報として添削サーバ１に送信する。
【００２０】
ネットワーク５は、インターネット、ＬＡＮ（Ｌｏｃａｌ  Ａｒｅａ  Ｎｅｔｗｏｒｋ）等の通信網であり、有線、無線は問わない。
【００２１】
（添削サーバの構成）
図２は、添削サーバ１の構成の一例を示すブロック図である。
【００２２】
この添削サーバ１は、ＣＰＵ等から構成され各部を制御するとともに各種のプログラムを実行する制御部１０と、ＨＤＤ（Ｈａｒｄ  Ｄｉｓｋ  Ｄｒｉｖｅ）やフラッシュメモリ等の記録媒体から構成され情報を記憶する記憶装置の一例としての記憶部１１と、ネットワーク５を介して外部と通信する通信部１２とを備える。
【００２３】
制御部１０は、後述する添削プログラム１１０を実行することで、問題送信手段１００、回答受信手段１０１、回答活動分析手段１０２、添削例作成手段１０３、添削例送信手段１０４、添削結果受信手段１０５及び添削結果送信手段１０６等として機能する。
【００２４】
問題送信手段１００は、端末２に後述する問題情報１１１を送信する。
【００２５】
回答受信手段１０１は、端末２から後述する回答情報１１２を受信する。回答情報１１２は、回答の入力された位置、入力を行った時間、入力された文字、入力された文字の筆跡等の項目を含む。
【００２６】
回答活動分析手段１０２は、回答受信手段１０１が受信した回答情報１１２に基づいて、回答者７の活動を分析し、後述する回答活動情報１１３を生成する。回答活動情報１１３は、回答者が問題の内容を把握するのに要した時間である問題把握時間、回答の入力に要した時間である問題回答時間、回答中に筆跡が止まり回答を中断した時間である回答中断時間等の項目を含む。
【００２７】
添削例作成手段１０３は、回答情報１１２、回答活動情報１１３、後述する回答雛形情報１１４及び添削履歴情報１１７に基づいて回答情報１１２に対する添削の例である添削例情報１１５を作成する。
【００２８】
添削例送信手段１０４は、添削例作成手段１０３が作成した添削例情報１１５を端末３又は端末４に送信する。
【００２９】
添削結果受信手段１０５は、端末３又は端末４から後述する添削結果情報１１６を受信する。添削結果情報１１６とは、端末３又は端末４において添削の結果書き込まれた書き込みやコメント等を含む。
【００３０】
添削結果送信手段１０６は、添削結果受信手段１０５が受信した添削結果情報１１６を端末２に送信する。
【００３１】
記憶部１１は、添削プログラム１１０、問題情報１１１、回答情報１１２、回答活動情報１１３、回答雛形情報１１４、添削例情報１１５、添削結果情報１１６及び添削履歴情報１１７等を格納する。
【００３２】
添削プログラム１１０は、制御部１０を上記した各手段１００〜１０６として動作させるプログラムである。
【００３３】
問題情報１１１は、問題と書き込み欄とを有し、端末２上において表示される情報である。
【００３４】
回答雛形情報１１４は、問題に対する回答の雛形となる情報である。具体的には、回答が入力される領域、回答の入力されたストローク情報、問題の種類、正解及び誤答のパターン、正解の場合及び誤答の場合の解説パターン等が挙げられる。なお、ストローク情報は、漢字の場合は筆順、とめ、はね、はらい等であり、算数等の教科の場合は図形の補助線等の情報である。
【００３５】
添削履歴情報１１７は、過去に作成された添削結果情報１１６の履歴である。
【００３６】
（携帯端末の構成）
図３は、端末２の構成の一例を示すブロック図である。
【００３７】
端末２は、ＣＰＵ等から構成され各部を制御するとともに各種のプログラムを実行する制御部２０と、ＨＤＤやフラッシュメモリ等の記録媒体から構成され情報を記憶する記憶装置の一例としての記憶部２１と、ネットワーク５を介して外部と通信する通信部２２と、ＬＣＤ等の表示部２３と、表示部２３に重ねて配置されたタッチパネルからなる入力部２４とを備える。
【００３８】
制御部２０は、記憶部２１の端末実行プログラム２１０を実行することで、問題受信手段２００、問題表示手段２０１、回答入力手段２０２、回答送信手段２０３、添削結果受信手段２０４及び添削結果表示手段２０５等として機能する。
【００３９】
問題受信手段２００は、添削サーバ１から問題情報１１１を受信して、記憶部２１に問題情報２１１として記憶する。
【００４０】
問題表示手段２０１は、問題情報２１１を表示処理して表示部２３に問題を表示する。
【００４１】
回答入力手段２０２は、表示部２３に表示されている問題に対して回答者７がスタイラスペン２４ａを用いて入力部２４に入力した回答の書き込みを受け付けて、後述する回答情報２１２を作成する。なお、入力部２４は、スタイラスペン２４ａで入力を受け付けるものに限らず、指でタッチパネルに直接触れて入力を受け付けてもよいし、紙面に対するボールペンや鉛筆等のペンを用いた筆記動作を二次元又は三次元で検出して入力を受け付けるものであってもよい。また、紙面に記入した文字や図形等を筆跡として読み取る電子ペンを用いて入力を受け付けてもよい。
【００４２】
回答送信手段２０３は、回答情報２１２を添削サーバ１に送信する。
【００４３】
添削結果受信手段２０４は、添削サーバ１から回答情報２１２に対する添削結果である添削結果情報１１６を受信して、添削結果情報２１３として記憶部２１に記憶する。
【００４４】
添削結果表示手段２０５は、添削結果情報２１３を表示処理して表示部２３に添削結果を表示する。
【００４５】
記憶部２１は、端末実行プログラム２１０、問題情報２１１、回答情報２１２、添削結果情報２１３等を格納する。
【００４６】
端末実行プログラム２１０は、制御部２０を上記した各手段２００〜２０５として動作させるプログラムである。
【００４７】
図４は、端末３の構成の一例を示すブロック図である。なお、端末４は端末３と同様の構成を有するため説明を省略する。
【００４８】
端末３は、ＣＰＵ等から構成され各部を制御するとともに各種のプログラムを実行する制御部３０と、ＨＤＤやフラッシュメモリ等の記録媒体から構成され情報を記憶する記憶装置の一例としての記憶部３１と、ネットワーク５を介して外部と通信する通信部３２と、ＬＣＤ等の表示部３３と、表示部３３に重ねて配置されたタッチパネルからなる入力部３４とを備える。
【００４９】
制御部３０は、記憶部３１の端末実行プログラム３１０を実行することで、回答受信手段３００、回答表示手段３０１、添削例受信手段３０２、添削例表示手段３０３、添削入力手段３０４及び添削結果送信手段３０５等として機能する。
【００５０】
回答受信手段３００は、添削サーバ１から回答情報１１２を受信して、記憶部３１に回答情報３１１として記憶する。
【００５１】
回答表示手段３０１は、回答情報１１２を表示処理して表示部３３に回答を表示する。
【００５２】
添削例受信手段３０２は、添削サーバ１から添削例情報１１５を受信して、記憶部３１に添削例情報３１２として記憶する。
【００５３】
添削例表示手段３０３は、添削例情報３１２を表示処理して表示部３３に添削例を表示する。
【００５４】
添削入力手段３０４は、表示部３３に表示されている回答に対して、表示されている添削例に基づいて添削者８がスタイラスペン３４ａを用いて入力部３４に入力した添削の書き込みを受け付けて、後述する添削結果情報３１３を作成する。なお、入力部３４は、スタイラスペン３４ａで入力を受け付けるものに限らず、指でタッチパネルに直接触れて入力を受け付けてもよいし、ボールペンや鉛筆等のペンの動作を二次元又は三次元で検出するものであってもよい。
【００５５】
添削結果送信手段３０５は、添削結果情報３１３を添削サーバ１に送信する。
【００５６】
記憶部３１は、端末実行プログラム３１０、回答情報３１１、添削例情報３１２及び添削結果情報３１３等を格納する。
【００５７】
端末実行プログラム２１０は、制御部３０を上記した各手段３００〜３０５として動作させるプログラムである。
【００５８】
添削結果情報３１３は、回答の正誤に関する書き込み、回答に対するコメント等を含む情報である。
【００５９】
図５は、問題表示画面の構成の一例を示す概略図である。
【００６０】
問題表示画面２３ａは、問題情報２１１に基づいて端末２の表示部２３に表示される画面であって、問２３０、問２３１、回答欄２３２、問２３３、回答欄２３４を有し、回答者７によってスタイラスペン２４ａにより書き込み２４０〜２４２が入力されたものである。なお、書き込み２４０〜２４２は、回答情報２１２として端末２の記憶部２１に記憶されるものである。
【００６１】
図６は、回答表示画面の構成の一例を示す概略図である。
【００６２】
回答表示画面３３ａ及び問題案内表示３３ｂは、回答情報３１１及び添削例情報３１２に基づいて端末３の表示部３３に表示される画面である。
【００６３】
回答表示画面３３ａは、問２３０、問２３１、回答欄２３２、問２３３、回答欄２３４と、スタイラスペン２４ａによる書き込み２４０〜２４２の他、ガイド３３０ａ、３３１ａ、３３３ａ、３３５ａ、３３６ａと、コメント領域３３２ａ、３３４ａ、３３７ａとを有する。
【００６４】
問題案内表示３３ｂは、問題ボタン３３０ｂ〜３３３ｂを有する。問題ボタン３３０ｂ〜３３３ｂを操作した場合の動作については、図８において説明する。
【００６５】
図７は、回答表示画面の構成の他の例を示す概略図である。
【００６６】
回答表示画面３３ａは、図６において説明した構成の画面上に、添削者８によってスタイラスペン３４ａによる書き込み３４０〜３４２を有する。なお、書き込み３４０〜３４２は、添削結果情報３１３の一部として端末３の記憶部３１に記憶されるものである。
【００６７】
図８は、回答表示画面の構成の他の例を示す概略図である。
【００６８】
回答表示画面３３ａは、図６において説明した構成の画面上において、問題案内表示３３ｂの問題ボタン３３２ｂをスタイラスペン３４ａで選択することにより表示される添削支援表示３３４ｂを有する。添削支援表示３３４ｂは、添削者８の一例として回答者７の家族等、すなわち、添削に不慣れな者に対して表示されるものである。添削支援表示３３４ｂは、添削者８がスタイラスペン３４ａによってコメント領域３３２ａ、３３４ａ、３３７ａにコメントを書き込む際に参照されるものである。
【００６９】
図９は、回答表示画面の構成の他の例を示す概略図である。
【００７０】
回答表示画面４３ａ及び問題案内表示４３ｂは、回答情報４１１及び添削例情報４１２に基づいて端末４の表示部４３に表示される画面であって、問題案内表示４３ｂの問題ボタン４３０ｂをスタイラスペン４４ａで選択することにより表示される添削支援表示４３４ｂを有する。
【００７１】
添削支援表示４３４ｂは、添削者９の一例として回答者７の教師等、すなわち、添削に慣れた者に対して表示されるものであって、図８の添削支援表示３３４ｂに対して専門的な内容ものである。添削支援表示４３４ｂは、添削者９がスタイラスペン４４ａによってコメント領域４３２ａ、４３４ａ、４３７ａにコメントを書き込む際に参照されるものである。
【００７２】
（添削システムの動作）
次に、本実施の形態の作用を、（１）回答情報作成動作、（２）添削例情報作成動作、（３）添削結果情報作成動作に分けて説明する。
【００７３】
図１０は、添削システムの動作の一例を示すフローチャートである。
【００７４】
（１）回答情報作成動作
まず、回答者７は端末２を操作し、ネットワーク５を介して添削サーバ１と通信して、添削サーバ１から問題情報１１１を端末２に送信するよう要求する。
【００７５】
添削サーバ１は、端末２から要求を受信すると、問題送信手段１００により問題情報１１１を端末２に送信する。
【００７６】
次に、端末２の問題受信手段２００は、添削サーバ１から問題情報１１１を受信して、記憶部２１に問題情報２１１として記憶する。
【００７７】
次に、問題表示手段２０１は、問題情報２１１を表示処理して表示部２３に図５に示す問題表示画面２３ａを表示する。
【００７８】
次に、回答者７は、スタイラスペン２４ａを用いて入力部２４に回答を入力する。
【００７９】
次に、回答入力手段２０２は、表示部２３に表示されている問題に対して回答者７がスタイラスペン２４ａを用いて入力部２４に入力した回答の書き込みを受け付けて、後述する回答情報２１２を作成する（Ｓ２０）。
【００８０】
次に、回答送信手段２０３は、回答情報２１２を添削サーバ１に送信する（Ｓ２１）。
【００８１】
（２）添削例情報作成動作
次に、回答受信手段１０１は、端末２から回答情報２１２を受信して記憶部１１に回答情報１１２として記憶する（Ｓ１０）。
【００８２】
次に、添削例作成手段１０３は、回答情報１１２、回答活動情報１１３、回答雛形情報１１４及び添削履歴情報１１７に基づいて回答情報１１２に対する添削の例である添削例情報１１５を作成する（Ｓ１１）。添削例情報１１５の作成方法については、図１１において詳細に説明する。
【００８３】
次に、添削例送信手段１０４は、添削例作成手段１０３が作成した添削例情報１１５を端末３又は端末４に送信する（Ｓ１２）。
【００８４】
図１１は、添削サーバ１が添削例情報を作成する際の動作の一例を示すフローチャートである。
【００８５】
まず、添削例作成手段１０３は、回答情報１１２を取得し（Ｓ１１０）、取得した回答情報１１２と記憶部１１の回答雛形情報１１４とを比較し、回答としての書き込みの記載位置等を比較して問題情報１１１を特定して、回答雛形情報１１４を特定する（Ｓ１１１）。なお、回答情報１１２に問題情報１１１を関連付けておき、関連付けられた問題情報１１１に基づいて回答雛形情報１１４を特定してもよい。
【００８６】
次に、添削例作成手段１０３は、回答情報１１２の書き込みのそれぞれと特定した回答雛形情報１１４の正解パターンのそれぞれとを比較し（Ｓ１１２）、正答である場合、正答用の解説パターンを取得する（Ｓ１１５）。
【００８７】
また、ステップＳ１１２において誤答である場合、回答情報１１２の書き込みと回答雛形情報１１４の誤答パターンとを比較して誤答パターンを特定する（Ｓ１１３）。次に、添削例作成手段１０３は、特定した誤答パターンに対応する誤答用の解説パターンを取得する（Ｓ１１４）
【００８８】
次に、添削例作成手段１０３は、添削位置として、図６〜図８等に示すガイド３３０ａ、３３１ａ…や、コメント領域３３２ａ、３３４ａ…を配置する位置を特定する（Ｓ１１６）。具体的には、ガイドについては、書き込みの位置に重なるように、コメント領域については、回答情報１１２の書き込みの位置と、回答雛形情報１１４の回答の配置とから、書き込みが記載されていない領域を算出して特定される。
【００８９】
次に、回答活動分析手段１０２は、回答受信手段１０１が受信した回答情報１１２に基づいて、回答者７の活動を分析し、回答活動情報１１３を生成する（Ｓ１１７）。なお、回答活動情報１１３の問題把握時間は、前の問題の回答終了時間と、回答中の問題の回答開始時間の差分から算出される。また、問題回答時間は、回答中の問題の回答開始時間と回答終了時間の差分から算出される。回答中断時間は、回答中の問題において一定時間、例えば５秒以上、書き込み動作が停止した時間の総和から算出される。
【００９０】
また、添削例作成手段１０３は、添削履歴情報１１７を取得する（Ｓ１１８）。
【００９１】
次に、添削例作成手段１０３は、以上の動作によって得られた回答情報１１２、回答活動情報１１３、回答雛形情報１１４及び添削履歴情報１１７に基づいて回答情報１１２に対する添削の例である添削例情報１１５を作成する（Ｓ１１９）。具体的には、回答者の題把握時間、問題回答時間、回答中断時間等の情報を有する回答活動情報１１３から、解説の例示として図９に示すように解説を入力する際の補助情報となる題把握時間、問題回答時間、回答中断時間等の項目を含む添削支援表示４３４ｂの「回答の状況」が作成される。また、他の添削者の添削の履歴を有する添削履歴情報１１７からは、解説の例示として図８に示すように添削支援表示３３４ｂの「みんなの解説コメント」が作成されるとともに、図９に示すように同一の回答者の過去の回答の履歴である「過去の履歴」が作成される。
【００９２】
（３）添削結果情報作成動作
まず、端末３の回答受信手段３００は、添削サーバ１から回答情報１１２を受信して、記憶部３１に回答情報３１１として記憶する。また、添削例受信手段３０２は、添削サーバ１から添削例情報１１５を受信して、記憶部３１に添削例情報３１２として記憶する（Ｓ３０）。
【００９３】
次に、回答表示手段３０１は、図６に示すように、回答情報１１２を表示処理して表示部３３に回答を表示し、添削例表示手段３０３は、添削例情報３１２を表示処理して回答に重畳して添削例を表示する（Ｓ３１）。
【００９４】
次に、添削者８は、スタイラスペン３４ａを用いて入力部３４に添削としての書き込み及びコメントを入力する。この際、添削者８は、図７に示すように、ガイドをなぞるように丸やバツの書き込み２４０〜２４２を入力し、図８に示すように、添削支援表示３３４ｂを参照してコメント領域３３２ａ、３３４ａ、３３７ａにコメントを入力する。なお、添削支援表示３３４ｂの「みんなの解説コメント」欄には、添削履歴情報１１７に基づいて過去に他の添削者によって作成されたコメントが表示され、矢印を操作されると他のコメントがさらに表示される。
【００９５】
また、端末３に代えて端末４を用いる場合は、添削者９がスタイラスペン４４ａを用いて入力部４４に添削としての書き込み及びコメントを入力する。この際、添削者９は、図９に示すように、添削支援表示４３４ｂを参照してコメント領域４３２ａ、４３４ａ、４３７ａにコメントを入力する。なお、添削支援表示４３４ｂの「回答の状況」欄には、回答者が問題把握に要した時間、回答者が回答に要した時間及び中断時間等が表示される。また、「過去の履歴」欄には、回答者が過去に回答した問題のうち問題の種類が同じ問題の正誤答の履歴が表示される。また、「チェックポイント」欄には、回答内容について添削の際に確認するべき事項が表示される。
【００９６】
次に、添削入力手段３０４は、表示部３３に表示されている回答に対して、表示されている添削例に基づいて添削者８がスタイラスペン３４ａを用いて入力部３４に入力した添削の書き込みを受け付けて、添削結果情報３１３を作成する（Ｓ３２）。
【００９７】
次に、添削結果送信手段３０５は、添削結果情報３１３を添削サーバ１に送信する（Ｓ３３）。
【００９８】
次に、添削サーバ１の添削結果受信手段１０５は、端末３から添削結果情報１１６を受信し（Ｓ１３）、添削履歴情報１１７として記録して（Ｓ１４）、次回以降の添削例情報を作成する際に用いる。
【００９９】
次に、添削結果送信手段１０６は、添削結果受信手段１０５が受信した添削結果情報１１６を端末２に送信する（Ｓ１５）。
【０１００】
次に、端末２の添削結果受信手段２０４は、添削サーバ１から回答情報２１２に対する添削結果である添削結果情報１１６を受信して、添削結果情報２１３として記憶部２１に記憶する（Ｓ２２）。
【０１０１】
次に、添削結果表示手段２０５は、添削結果情報２１３を表示処理して表示部２３に添削結果を表示する。なお、添削結果は、図示しない印刷装置によって印刷されるものであってもよいし、端末２以外の別の端末に送信されるものであってもよい。
【０１０２】
次に、回答者７は、表示された添削結果を確認する。
【０１０３】
（実施の形態の効果）
上記した実施の形態によると、回答情報１１２から回答者の回答に関する活動を分析して回答活動情報１１３を生成し、回答情報１１２、回答活動情報１１３、問題情報に対する回答の雛形である回答雛形情報１１４及び過去に添削として入力された添削履歴情報１１７に基づいて、回答情報１１２に対する添削の例示である添削例情報１１５を作成したため、添削の履歴を添削支援表示３３４ｂ又は４３４ｂに表示することで、添削者の添削を支援することができる。また、回答活動情報１１５から回答者の時間に関する情報を用いて添削支援表示４３４ｂ中に問題把握時間、問題回答時間、回答中断時間等を表示して添削者の添削を支援することができる。
【０１０４】
また、添削例情報１１５として図８に示す添削支援表示３３４ｂと、図９に示す添削支援表示４３４ｂとで異なる内容を表示したため、添削者８、９の立場又はレベルに応じて添削を支援することができる。
【０１０５】
［他の実施の形態］
なお、本発明は、上記実施の形態に限定されず、本発明の趣旨を逸脱しない範囲で種々な変形が可能である。例えば、以下のように変形してもよい。
【０１０６】
上記実施の形態では制御部１０、２０及び３０内の各手段１００−１０５、２００−２０５及び３００−３０５の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【０１０７】
０…添削システム、１…添削サーバ、２−４…端末、５…ネットワーク、７…回答者、８、９…添削者、１０…制御部、１１…記憶部、１２…通信部、２０…制御部、２１…記憶部、２２…通信部、２３…表示部、２３ａ…問題表示画面、２４…入力部、２４ａ…スタイラスペン、３０…制御部、３１…記憶部、３２…通信部、３３…表示部、３３ａ…回答表示画面、３３ｂ…問題案内表示、３４…入力部、３４ａ…スタイラスペン、４３…表示部、４３ａ…回答表示画面、４３ｂ…問題案内表示、４４…入力部、４４ａ…スタイラスペン、１００…問題送信手段、１０１…回答受信手段、１０２…回答活動分析手段、１０３…添削例作成手段、１０４…添削例送信手段、１０５…添削結果受信手段、１０６…添削結果送信手段、１１０…添削プログラム、１１１…問題情報、１１２…回答情報、１１３…回答活動情報、１１４…回答雛形情報、１１５…添削例情報、１１６…添削結果情報、１１７…添削履歴情報、２００…問題受信手段、２０１…問題表示手段、２０２…回答入力手段、２０３…回答送信手段、２０４…添削結果受信手段、２０５…添削結果表示手段、２１０…端末実行プログラム、２１１…問題情報、２１２…回答情報、２１３…添削結果情報、３００…回答受信手段、３０１…回答表示手段、３０２…添削例受信手段、３０３…添削例表示手段、３０４…添削入力手段、３０５…添削結果送信手段、３１０…端末実行プログラム、３１１…回答情報、３１２…添削例情報、３１３…添削結果情報、４１１…回答情報、４１２…添削例情報
【図１】
2014048309.tif 000003
【図２】
2014048309.tif 000004
【図３】
2014048309.tif 000005
【図４】
2014048309.tif 000006
【図５】
2014048309.tif 000007
【図６】
2014048309.tif 000008
【図７】
2014048309.tif 000009
【図８】
2014048309.tif 000010
【図９】
2014048309.tif 000011
【図１０】
2014048309.tif 000012
【図１１】
2014048309.tif 000013